(57)【要約】 【課題】  光制御素子側に接着だまりを設け、光制御素子装着に係る接着強度を向上することによって、装着位置の経時変化、環境変化に伴うずれを防止し、高性能かつ長寿命の光ピックアップ装置を提供する。【解決手段】  光ピックアップ装置は、光源から出射される光の収差を補正する収差補正用液晶素子２１と、収差補正用液晶素子２１を支持する支持部材２７とを含んで構成される。収差補正用液晶素子２１は、対向して設けられて液晶セル２２を構成する２枚の第１および第２透明基板２３，２４を備える。第１および第２透明基板２３，２４の周縁部には、外方に臨んで第１および第２基板凹所２５，２６がそれぞれ形成され、第１および第２透明基板２３，２４の第１および第２基板凹所２５，２６に臨む部分と支持部材２７とが、接着剤によって接着される。【選択図】      図１
2005166084.tif 000002
【特許請求の範囲】
【請求項１】
光を出射する光源と、光源から出射される光を光記録媒体に集光する集光レンズと、光源から出射される光の収差を補正する収差補正用液晶素子と、収差補正用液晶素子を支持する支持部材とを含む光ピックアップ装置において、
収差補正用液晶素子は、対向して設けられて液晶セルを構成する２枚の透明基板を備え、
透明基板の周縁部には、外方に臨んで基板凹所が形成され、
透明基板の基板凹所に臨む部分と支持部材とが、接着剤によって接着されることを特徴とする光ピックアップ装置。
【請求項２】
支持部材には、収差補正用液晶素子を臨んで支持部材凹所が形成され、
収差補正用液晶素子の透明基板の基板凹所に臨む部分と支持部材の支持部材凹所に臨む部分とが、接着剤によって接着されることを特徴とする請求項１記載の光ピックアップ装置。
【請求項３】
収差補正用液晶素子に備わる２枚の透明基板のうち、支持部材に当接する側の反対側に配置される透明基板には、
基板凹所の内寄りに、透明基板の表面から立上るようにしきり部が形成されることを特徴とする請求項１または２記載の光ピックアップ装置。
【請求項４】
収差補正用液晶素子の透明基板には、基板凹所が複数個形成され、１つの基板凹所の形状が、残余の基板凹所の形状と異なるように形成されることを特徴とする請求項１〜３のいずれか１つに記載の光ピックアップ装置。
【請求項５】
収差補正用液晶素子の透明基板には、基板凹所が少なくとも３個以上形成され、
少なくとも３個以上形成される基板凹所が、収差補正用液晶素子に関して線対称、かつ放射状に配置されることを特徴とする請求項１〜４のいずれか１つに記載の光ピックアップ装置。
【請求項６】
光を出射する光源と、光源から出射される光を光記録媒体に集光する集光レンズと、光源から出射される光の収差を補正する収差補正用液晶素子と、収差補正用液晶素子を支持する支持部材とを含む光ピックアップ装置において、
収差補正用液晶素子は、対向して設けられて液晶セルを構成する２枚の透明基板を備え、
２枚の透明基板のうち、支持部材を臨んで設けられる透明基板には透明基板から突出するように係合突起が形成され、
支持部材には、収差補正用液晶素子を臨んで係合凹所が形成され、
透明基板の係合突起と支持部材の係合凹所とが係合されるとともに、透明基板の係合突起と支持部材の係合凹所に臨む部分とが接着剤によって接着されることを特徴とする光ピックアップ装置。
【請求項７】
収差補正用液晶素子の液晶セルを構成する２枚の透明基板のうち、一方の透明基板がレンズ状に形成されるレンズ部を備えて集光レンズを構成することによって、集光レンズと収差補正用液晶素子とが一体化されることを特徴とする請求項１〜６のいずれか１つに記載の光ピックアップ装置。
【請求項８】
収差補正用液晶素子は、
平面形状が円形になるように形成されることを特徴とする請求項１〜７のいずれか１つに記載の光ピックアップ装置。
【請求項９】
光を出射する光源と、光源から出射される光を光記録媒体に集光する集光レンズと、光源から出射される光の収差を補正する収差補正用液晶素子と、収差補正用液晶素子を支持する支持部材とを含む光ピックアップ装置において、
収差補正用液晶素子は、対向して設けられて液晶セルを構成する２枚の透明基板を備え、
透明基板の周縁付近には、透明基板を厚み方向に貫通する接着孔が形成され、
支持部材には、透明基板の接着孔に対応する位置に支持部材凹所が形成され、
透明基板の接着孔に臨む部分と支持部材の支持部材凹所に臨む部分とが、接着剤によって、接着されることを特徴とする光ピックアップ装置。
【請求項１０】
光を出射する光源と、光源から出射される光を光記録媒体に集光する集光レンズと、光源から出射される光の収差を補正する収差補正用液晶素子と、収差補正用液晶素子を支持する支持部材とを含む光ピックアップ装置において、
支持部材には、嵌合凹所が形成され、
収差補正用液晶素子は、支持部材の嵌合凹所に挿入されて嵌合されることによって支持されることを特徴とする光ピックアップ装置。
【請求項１１】
収差補正用液晶素子には、収差補正用液晶素子に電力を供給する複数のフレキシブル配線シートが接続され、
フレキシブル配線シートは、収差補正用液晶素子に関して線対称に配置されることを特徴とする請求項１〜１０のいずれか１つに記載の光ピックアップ装置。
【請求項１２】
フレキシブル配線シートが、波形の形状を有することを特徴とする請求項１１記載の光ピックアップ装置。
【請求項１３】
前記請求項１〜１２のいずれか１つに記載の光ピックアップ装置を搭載することを特徴とする電子機器。
【発明の詳細な説明】
【技術分野】
【０００１】
本発明は、光記録媒体に対する情報の記録、再生、消去に用いられる光ピックアップ装置に関する。
【背景技術】
【０００２】
光ピックアップ装置は、たとえばコンパクトディスク（略称ＣＤ）、デジタルバーサタイルディスク（略称ＤＶＤ）などの光記録媒体に対して情報を記録、再生、消去することに用いられている。光ピックアップ装置には、情報信号品質向上の要求に応じ、光記録媒体の傾きおよび厚さのばらつき等よって発生する収差を補正し、集光特性を向上させることを目的として補正素子を備えるものがある（たとえば、特許文献１参照）。
【０００３】
図１０は、収差補正用液晶素子を備える従来の光ピックアップ装置１の構成を簡略化して示す配置側面図である。従来の光ピックアップ装置１は、たとえばＣＤ、ＤＶＤの両方またはいずれか一方に、受発光一体型素子２を用いて情報を記録、再生、消去することができるように構成される。
【０００４】
以下従来の光ピックアップ装置１の動作について説明する。光を出射する光源と、光記録媒体１０からの戻り光を受光する受光素子とが一体化されている受発光一体型素子２から出射された放射光は、ダイクロイックプリズム３を反射または透過し、コリメートレンズ４で平行光とされた後、立上ミラー５によって集光レンズ６に導かれるように反射される。立上ミラー５によって反射された光は、集光レンズ６へ入射する前に収差補正用液晶素子７を透過し、このときの液晶の複屈折を利用することによって、光記録媒体１０の傾きおよび厚さのばらつき等によって発生する収差が補正される。収差補正用液晶素子７によって収差が補正された光は、駆動手段８によって駆動制御可能に設けられる支持部材９に、収差補正用液晶素子７とともに支持される集光レンズ６を通過することによって、平行光が収束光とされ、光記録媒体１０上の一点に収束し反射される。
【０００５】
光記録媒体１０による反射光は、再び集光レンズ６を通過して戻る際に平行光となり、立上ミラー５で反射され、コリメートレンズ４を通過し、ダイクロイックプリズム３で反射または透過されて往路と逆の順路で受発光一体型素子２に戻る。戻り光は、受発光一体型素子２の表面の回折格子２ａで分光され受光素子に備わる受光部へ入射し、光信号から電気信号へと変換され、情報の再生、記録、消去およびサーボ信号として利用される。なお、光ピックアップ装置１において、光記録媒体１０を除く前述の各部材は、ハウジング１１の中に収容されている。
【０００６】
図１１は、図１０に示す光ピックアップ装置１における支持部材９に対する収差補正用液晶素子７の装着部を拡大して示す図である。従来の光ピックアップ装置１では、収差補正用液晶素子７の周縁部１２が支持部材９の下端面１３に当接し、収差補正用液晶素子７の端面１４と支持部材９の下端面１３とが、接着剤によって接着されている。
【０００７】
図１０に例示するような光ピックアップ装置では、最近需要が非常に高まっている薄型ノートパソコンへの内蔵を可能にするために、ＤＶＤおよびＣＤの両方に対応する２つのレーザ光源を備える構成から、２種類の波長のレーザ光を１つのレーザ光源で出射可能にし、ＤＶＤおよびＣＤの両方に１つのレーザ光源で対応可能な構成を指向するようになり、一層の小型化が求められている。
【０００８】
また高開口率（Numerical Aperture；略称ＮＡ）のレンズと、波長の短い青色光とを用いる次世代光ディスク（Blu-ray Disc；略称ＢＤ）システムでは、光記録媒体の光透過保護層の厚み誤差によって発生する球面収差等を補正することが必須となっている。このように、小型化を迫られるにも関わらず、信号品質向上のために収差補正用液晶素子のような光学部材を必要とするので、各部材の装着に許されるスペースが小さくなる傾向にあり、各部材が装着される設置台なども小さくすることが求められている。
【０００９】
したがって、光ピックアップ装置への光学部品および液晶素子の装着に関しても、従来であれば接着剤を塗布するための箇所であって、接着面積を大きくするために凹所等が形成される部分（以後、接着だまりと呼ぶ）を設けることに対して制限を受けることがなかったハウジングおよび光学部品設置台においても、小型化への対応の結果、接着だまりを設けることによって強度低下の問題などが発生するので、接着だまりを設けることに制限を受けるようになる。
【００１０】
光を透過、反射させて用いる液晶素子等の光制御素子には高い精度が求められており、たとえばＢＤシステムにおいては、現状光制御素子の装着部分を設けることが困難になるほどの小型化を要求されていないので、光制御素子の精度を優先し、光制御素子側に接着部分を設けることによって性能を劣化させてしまう危険をおかしてまで、光制御素子側に接着だまりを設ける必要性に迫られてはいない。しかしながら、さらなる小型化の要求に迫られて、光制御素子側に接着だまりを設けざるを得なくなるのは時間の問題である。
【００１１】
近年、光学部品製造技術および加工技術が格段に進歩しているので、光制御素子側に接着だまり等を設けることは技術的に充分可能であり、また、光制御素子は使用されるレーザによって全ての部分を使用しているわけではなく、未使用部分も存在しているので、その未使用部分については加工可能であるにも関わらず、光制御素子側に接着だまりを設けることについては未だ試みられていない。
【００１２】
【特許文献１】特開２０００−２８５５０４号公報
【発明の開示】
【発明が解決しようとする課題】
【００１３】
本発明の目的は、光制御素子側に接着だまりを設け、光制御素子装着に係る接着強度を向上することによって、装着位置の経時変化、環境変化に伴うずれを防止し、高性能かつ長寿命の光ピックアップ装置を提供することである。
【課題を解決するための手段】
【００１４】
本発明は、光を出射する光源と、光源から出射される光を光記録媒体に集光する集光レンズと、光源から出射される光の収差を補正する収差補正用液晶素子と、収差補正用液晶素子を支持する支持部材とを含む光ピックアップ装置において、
収差補正用液晶素子は、対向して設けられて液晶セルを構成する２枚の透明基板を備え、
透明基板の周縁部には、外方に臨んで基板凹所が形成され、
透明基板の基板凹所に臨む部分と支持部材とが、接着剤によって接着されることを特徴とする光ピックアップ装置である。
【００１５】
また本発明は、支持部材には、収差補正用液晶素子を臨んで支持部材凹所が形成され、
収差補正用液晶素子の透明基板の基板凹所に臨む部分と支持部材の支持部材凹所に臨む部分とが、接着剤によって接着されることを特徴とする。
【００１６】
また本発明は、収差補正用液晶素子に備わる２枚の透明基板のうち、支持部材に当接する側の反対側に配置される透明基板には、
基板凹所の内寄りに、透明基板の表面から立上るようにしきり部が形成されることを特徴とする。
【００１７】
また本発明は、収差補正用液晶素子の透明基板には、基板凹所が複数個形成され、１つの基板凹所の形状が、残余の基板凹所の形状と異なるように形成されることを特徴とする。
【００１８】
また本発明は、収差補正用液晶素子の透明基板には、基板凹所が少なくとも３個以上形成され、
少なくとも３個以上形成される基板凹所が、収差補正用液晶素子に関して線対称、かつ放射状に配置されることを特徴とする。
【００１９】
また本発明は、光を出射する光源と、光源から出射される光を光記録媒体に集光する集光レンズと、光源から出射される光の収差を補正する収差補正用液晶素子と、収差補正用液晶素子を支持する支持部材とを含む光ピックアップ装置において、
収差補正用液晶素子は、対向して設けられて液晶セルを構成する２枚の透明基板を備え、
２枚の透明基板のうち、支持部材を臨んで設けられる透明基板には透明基板から突出するように係合突起が形成され、
支持部材には、収差補正用液晶素子を臨んで係合凹所が形成され、
透明基板の係合突起と支持部材の係合凹所とが係合されるとともに、透明基板の係合突起と支持部材の係合凹所に臨む部分とが接着剤によって接着されることを特徴とする光ピックアップ装置である。
【００２０】
また本発明は、収差補正用液晶素子の液晶セルを構成する２枚の透明基板のうち、一方の透明基板がレンズ状に形成されるレンズ部を備えて集光レンズを構成することによって、集光レンズと収差補正用液晶素子とが一体化されることを特徴とする。
【００２１】
また本発明は、収差補正用液晶素子は、平面形状が円形になるように形成されることを特徴とする。
【００２２】
また本発明は、光を出射する光源と、光源から出射される光を光記録媒体に集光する集光レンズと、光源から出射される光の収差を補正する収差補正用液晶素子と、収差補正用液晶素子を支持する支持部材とを含む光ピックアップ装置において、
収差補正用液晶素子は、対向して設けられて液晶セルを構成する２枚の透明基板を備え、
透明基板の周縁付近には、透明基板を厚み方向に貫通する接着孔が形成され、
支持部材には、透明基板の接着孔に対応する位置に支持部材凹所が形成され、
透明基板の接着孔に臨む部分と支持部材の支持部材凹所に臨む部分とが、接着剤によって、接着されることを特徴とする光ピックアップ装置である。
【００２３】
また本発明は、光を出射する光源と、光源から出射される光を光記録媒体に集光する集光レンズと、光源から出射される光の収差を補正する収差補正用液晶素子と、収差補正用液晶素子を支持する支持部材とを含む光ピックアップ装置において、
支持部材には、嵌合凹所が形成され、
収差補正用液晶素子は、支持部材の嵌合凹所に挿入されて嵌合されることによって支持されることを特徴とする光ピックアップ装置である。
【００２４】
また本発明は、収差補正用液晶素子には、収差補正用液晶素子に電力を供給する複数のフレキシブル配線シートが接続され、
フレキシブル配線シートは、収差補正用液晶素子に関して線対称に配置されることを特徴とする。
【００２５】
また本発明は、フレキシブル配線シートが、波形の形状を有することを特徴とする。
また本発明は、前記いずれかの光ピックアップ装置を搭載することを特徴とする電子機器である。
【発明の効果】
【００２６】
本発明によれば、収差補正用液晶素子の液晶セルを構成する透明基板には基板凹所が形成され、透明基板の基板凹所に臨む部分と支持部材とが接着剤によって接着されるので、基板凹所形成部分の接着面積が増大し、収差補正用液晶素子の支持部材に対する接着強度を大きくすることができる。このことによって、収差補正用液晶素子の支持部材に対する装着位置の経年変化および温度変化が抑制されるので、情報信号の高品質化および装置の長寿命化が実現される。
【００２７】
また本発明によれば、支持部材にも支持部材凹所が形成されるので、収差補正用液晶素子の支持部材に対する接着強度を一層増すことができる。
【００２８】
また本発明によれば、収差補正用液晶素子の透明基板には、基板凹所の内寄りに、透明基板の表面から立上るようにしきり部が形成されるので、接着作業時に誤って収差補正用液晶素子の有効仕様領域、すなわち光の収差補正に用いられる領域に接着剤が付着することを防止できる。
【００２９】
また本発明によれば、透明基板には、基板凹所が複数個形成され、１つの基板凹所の形状が、残余の基板凹所の形状と異なるように形成されるので、１つの基板凹所を、収差補正用液晶素子の位置決めに際して、基準指標とすることができる。このことによって、収差補正用液晶素子を装置本体に組立装着およびその位置決めを容易に行うことができる。
【００３０】
また本発明によれば、収差補正用液晶素子の透明基板には、基板凹所が少なくとも３個以上形成され、少なくとも３個以上形成される基板凹所が、収差補正用液晶素子に関して線対称、かつ放射状に配置される。このことによって、基板凹所に塗布される接着剤が固化する際の収縮応力が、収差補正用液晶素子の透明基板に対して等方向に作用するので、透明基板が偏った方向にひずむことを防止できる。
【００３１】
また本発明によれば、収差補正用液晶素子に備わる２枚の透明基板のうち、一方には支持部材を臨んで係合突起が形成され、支持部材には、収差補正用液晶素子を臨んで係合凹所が形成され、係合突起と係合凹所とが係合され、係合部分が接着剤によって接着されるので、収差補正用液晶素子の支持部材に対する装着が容易になる。
【００３２】
また本発明によれば、収差補正用液晶素子の液晶セルを構成する２枚の透明基板のうち、一方の透明基板がレンズ状に形成されるレンズ部を備えて集光レンズを構成することによって、集光レンズと収差補正用液晶素子とが一体化されるので、１つの収差補正用液晶素子でレーザ光の収差補正と集光とを行うことが可能となる。このことによって、光ピックアップ装置の光学部品点数を減らすことができるので、装置の小型化を実現することができる。
【００３３】
また本発明によれば、収差補正用液晶素子が円形になるように形成されるので、収差補正用液晶素子を容易に回転させることが可能になる。このことによって、液晶セルを構成する２枚の透明基板の有する複屈折の影響が、レーザ光の偏光方向に対して最も影響の少なくなるように、収差補正用液晶素子を回転させて位置調整することができる。
【００３４】
また本発明によれば、収差補正用液晶素子の透明基板の周縁付近には、透明基板を厚み方向に貫通する接着孔が形成され、支持部材には、透明基板の接着孔に対応する位置に支持部材凹所が形成され、透明基板の接着孔に臨む部分と支持部材の支持部材凹所に臨む部分とが、接着剤によって、接着される。このことによって、支持部材に接着だまりを形成する設計余裕が無い場合においても、収差補正用液晶素子を支持部材に設置することが可能になるので、光ピックアップ装置の小型化を実現することができる。
【００３５】
また本発明によれば、支持部材には、嵌合凹所が形成され、収差補正用液晶素子が、支持部材の嵌合凹所に挿入されて嵌合されることによって支持される。このことによって、収差補正用液晶素子を支持部材に装着するに際して、位置決めを容易にすることができる。また、この嵌合凹所に挿入された収差補正用液晶素子の接着において、収差補正用液晶素子の端面を全て接着することが可能になるので、充分な接着強度を得ることができる。
【００３６】
また本発明によれば、収差補正用液晶素子に接続される複数のフレキシブル配線シートは、収差補正用液晶素子に関して線対称に配置され、また好ましくはフレキシブル配線シートの形状が波形に形成される。このことによって、収差補正用液晶素子を支持する支持部材に負荷される力のバランスが保たれ、また形状を波形にすることによって支持部材に設けられるサーボ機構にかかる負担を軽減することができるので、サーボ機構の動作を安定させることが可能となる。
【００３７】
また本発明によれば、電子機器は、前述の効果を奏する光ピックアップ装置を搭載するので、情報信号品質に優れ、長寿命化が実現される。
【発明を実施するための最良の形態】
【００３８】
図１は、本発明の実施の一形態である光ピックアップ装置に備わる収差補正用液晶素子２１と支持部材２７との接着部分を示す断面図である。本発明の実施の一形態である光ピックアップ装置は、光を出射する光源と、光源から出射される光を光記録媒体に集光する集光レンズと、光源から出射される光の収差を補正する収差補正用液晶素子２１と、収差補正用液晶素子２１を支持する支持部材２７とを含み、前述の図１０に示す光ピックアップ装置と同一に構成されるので、構成の図示および説明を省略する。
【００３９】
本発明の光ピックアップ装置は、光ピックアップ装置に備わる収差補正用液晶素子２１が、対向して設けられて液晶セル２２を構成する２枚の第１および第２透明基板２３，２４を備え、第１および第２透明基板２３，２４のそれぞれの周縁部には、外方に臨んで第１および第２基板凹所２５，２６がそれぞれ形成され、第１および第２透明基板２３，２４の第１および第２基板凹所２５，２６に臨む部分と支持部材２７とが、接着剤２８によって接着されることを特徴とする。
【００４０】
収差補正用液晶素子２１は、２枚の第１および第２透明基板２３，２４によって形成される間隙に液晶２９が充填されて構成される液晶セル２２を含む。収差補正用液晶素子２１は、後述するフレキシブル配線シートなどを介して、外部から電力が液晶セル２２に供給されることによって液晶２９の分子が回転動作し、その回転による光の複屈折などを利用して収差を補正する。
【００４１】
第１および第２透明基板２３，２４は、たとえば透明ガラスまたは透明樹脂などから成り、それぞれの周縁部に外方に臨んで形成される第１および第２基板凹所２５，２６が、前述の接着だまりを構成する。
【００４２】
支持部材２７は、たとえば硬質の樹脂または金属などから成る部材であり、本実施の形態では、収差補正用液晶素子２１を支持するとともに、光記録媒体寄りに集光レンズも支持し、支持部材２７と収差補正用液晶素子２１および集光レンズとで一体化された部材を構成する。
【００４３】
第１透明基板２３の一端部付近の支持部材を臨む面３０と、支持部材２７の第１透明基板２３を臨む端面３１とが当接され、第１および第２透明基板２３，２４の第１および第２基板凹所２５，２６と、支持部材２７の端面３１とに接着剤２８が塗布されて、収差補正用液晶素子２１が支持部材２７に対して接着固定される。
【００４４】
このように収差補正用液晶素子２１の側に接着だまりである第１および第２基板凹所２５，２６を設けることによって、接着面積を増大させることができるので、接着強度を増すことが可能となる。このことによって、収差補正用液晶素子２１の支持部材２７に対する装着位置の経年変化および温度変化が抑制されるので、情報信号の高品質化および装置の長寿命化が実現される。
【００４５】
図２は、本発明の実施の第２形態である光ピックアップ装置に備わる収差補正用液晶素子４１と支持部材４２との接着部分を拡大して示す断面図である。本実施の形態の光ピックアップ装置は、実施の第１形態の光ピックアップ装置に類似し、対応する部分については同一の参照符号を付して説明を省略する。
【００４６】
本実施の形態の光ピックアップ装置における支持部材４２には、収差補正用液晶素子４１を臨んで支持部材凹所４３が形成され、収差補正用液晶素子４１の第１および第２透明基板２３，４４の第１および第２基板凹所２５，２６に臨む部分と支持部材４２の支持部材凹所４３に臨む部分とが、接着剤２８によって接着される。また収差補正用液晶素子４１に備わる２枚の第１および第２透明基板２３，４４のうち、支持部材４２に当接する側の反対側に配置される第２透明基板４４には、第２基板凹所２６の内寄りに、第２透明基板４４の表面４５から立上るようにしきり部４６が形成される。なお第１および第２透明基板２３，４４と、第１および第２透明基板２３，４４によって形成される間隙に充填される液晶２９とが、液晶セル４７を構成する。
【００４７】
しきり部４６は、第２基板凹所２６の内寄りにかつ第２透明基板４４の周縁に沿って、その内方に領域を画するように形成されることが好ましい。このようにしきり部４６が形成されることによって、たとえば接着部に接着剤を誤って多量に塗布したような場合でも、しきり部４６が、収差補正用液晶素子４１の中央部へ向って接着剤が流動することを、阻止するので、収差補正用液晶素子４１の有効仕様領域、すなわち光の収差補正に用いられる領域に接着剤が付着することを防止できる。また支持部材４２側にも、接着だまりである支持部材凹所４３を形成することによって、収差補正用液晶素子４１の支持部材４２に対する接着強度を一層増すことができるようになる。
【００４８】
図３は、本発明の実施の第３形態である光ピックアップ装置に備わる収差補正用液晶素子５１と支持部材５２との接着部分を示す断面図である。本実施の形態の光ピックアップ装置において注目すべき点は、以下のことである。収差補正用液晶素子５１は、対向して設けられて液晶セル５３を構成する２枚の第１および第２透明基板５４，５５を備え、２枚の第１および第２透明基板５４，５５のうち、支持部材５２を臨んで設けられる第１透明基板５４には、第１透明基板５４から突出するように係合突起５６が形成される。支持部材５２には、収差補正用液晶素子５１を臨んで係合凹所５７が形成され、第１透明基板５４の係合突起５６と支持部材５２の係合凹所５７とが係合されるとともに、第１透明基板５４の係合突起５６と支持部材５２の係合凹所５７に臨む部分とが、接着剤２８によって接着される。
【００４９】
このように、係合突起５６と係合凹所５７とを係合し、第１透明基板５４の係合突起５６と支持部材５２の係合凹所５７に臨む部分とを接着固定することによって、収差補正用液晶素子５１の支持部材５２に対する装着が容易になるとともに、接着強度を増大させることができる。
【００５０】
なお、第１透明基板５４の係合突起５６と支持部材５２の係合凹所５７とを係合する場合、収差補正用液晶素子５１の支持部材５２に対する固定方法としては、接着に代えて溶着方法を用いることも可能である。
【００５１】
図４は、本発明の実施の第４形態である光ピックアップ装置に備わる収差補正用液晶素子６１と支持部材６２との接着部分を示す断面図である。本実施の形態の光ピックアップ装置は、実施の第１形態の光ピックアップ装置に類似し、対応する部分については同一の参照符号を付して説明を省略する。
【００５２】
本実施の形態の光ピックアップ装置において注目すべきは、収差補正用液晶素子６１の液晶セル６３を構成する２枚の第１および第２透明基板６４，２４のうち、第１透明基板６４がレンズ状に形成されるレンズ部６４ａを備えて集光レンズを構成し、集光レンズと収差補正用液晶素子６１とが一体化されることである。したがって、本実施の形態の光ピックアップ装置では、第１透明基板６４に形成されるレンズ部６４ａが、光源から出射され、収差補正用液晶素子６１で収差の補正された光を光記録媒体に集光させるので、支持部材６２の光記録媒体寄りに、別部材として集光レンズを設ける必要がない。
【００５３】
このように、集光レンズと収差補正用液晶素子６１とが一体化され、１つの収差補正用液晶素子６１でレーザ光の収差補正と集光とを行うことが可能になり、光ピックアップ装置の光学部品点数を減らすことができるので、装置の小型化を実現することができる。
【００５４】
なお、第２透明基板２４には、フレキシブル配線シート６５が接続される。フレキシブル配線シート６５は、たとえば可撓性を有する樹脂フィルムなどの上に銅配線をプリントしたものであり、電源と収差補正用液晶素子６１とを電気的に接続し、電源から収差補正用液晶素子６１に電力を供給する。
【００５５】
図５は、本発明の実施の第５形態である光ピックアップ装置に備わる収差補正用液晶素子７１と支持部材７２との接着部分を示す底面図である。本実施の形態の光ピックアップ装置における収差補正用液晶素子７１は、平面（底面）形状が円形になるように形成され、収差補正用液晶素子７１の第１および第２透明基板７３（第１透明基板は不図示）には、複数（本実施の形態では６個）の基板凹所（以後、第１１〜第１６基板凹所と呼ぶ）７４ａ，７４ｂ，７４ｃ，７４ｄ，７４ｅ，７４ｆが形成される。
【００５６】
第１１〜第１６基板凹所７４ａ，７４ｂ，７４ｃ，７４ｄ，７４ｅ，７４ｆは、円形に形成される収差補正用液晶素子７１の軸線７５に対して直交する仮想線７６に関して線対称、かつ軸線７５を中心にして放射状に配置されることを特徴とする。また第１１基板凹所７４ａの形状が、残余の第１２〜第１６基板凹所７４ｂ，７４ｃ，７４ｄ，７４ｅ，７４ｆの形状と異なるように形成される。本実施の形態では、第１１基板凹所７４ａが、平面図上で略台形状に形成され、第１２〜第１６基板凹所７４ｂ，７４ｃ，７４ｄ，７４ｅ，７４ｆが、平面図上で略半円形状に形成される。
【００５７】
このように収差補正用液晶素子７１を円形に形成することによって、収差補正用液晶素子７１を容易に回転させることが可能になる。このことによって、液晶セルを構成する２枚の透明基板の有する複屈折の影響が、レーザ光の偏光方向に対して最も影響の少なくなるように、収差補正用液晶素子７１を回転させて位置調整することができる。また第１１基板凹所７４ａの形状を、残余の第１２〜第１６基板凹所７４ｂ，７４ｃ，７４ｄ，７４ｅ，７４ｆの形状と異なるように形成することによって、第１１基板凹所７４ａを、収差補正用液晶素子７１の位置決めに際して、基準指標とすることができるので、収差補正用液晶素子７１の装置本体への組立装着およびその位置決めを容易に行うことができる。
【００５８】
さらに第１１〜第１６基板凹所７４ａ，７４ｂ，７４ｃ，７４ｄ，７４ｅ，７４ｆが、収差補正用液晶素子７１の軸線７５に直交する仮想線７６に関して線対称、かつ軸線７５を中心として放射状に配置されるので、第１１〜第１６基板凹所７４ａ，７４ｂ，７４ｃ，７４ｄ，７４ｅ，７４ｆにそれぞれ塗布される接着剤７７ａ，７７ｂ，７７ｃ，７７ｄ，７７ｅ，７７ｆが固化する際の収縮応力が、収差補正用液晶素子７１の第１および第２透明基板７３（第１透明基板は不図示）に対して等方向に引張応力として作用するので、第１および第２透明基板７３が偏った方向にひずむことを防止できる。
【００５９】
参考までに、図６に、本発明範囲外の収差補正用液晶素子７と支持部材９との接着状態を底面図にて示す。本発明範囲外の光ピックアップ装置における収差補正用液晶素子７と支持部材９との接着においては、接着剤１５ａ，１５ｂが、平面図上で長方形に形成される収差補正用液晶素子７の軸線１６に直交する仮想線１７に関して単に線対称になるような配置で２箇所に、収差補正用液晶素子７と支持部材９とに接するように塗布される。この光ピックアップ装置では、接着剤１５ａ，１５ｂの固化時、図６中のｘ方向に平行であって、矢符１８，１９に示す方向に接着剤の固化収縮に起因する収縮応力が作用するので、収差補正用液晶素子７には、図６中のｘ方向に引張応力が作用し、図６中のｙ方向には圧縮応力が作用する。したがって、収差補正用液晶素子７は、ｘ方向に伸び、ｙ方向に縮む異方性の変形挙動を示す。収差補正用液晶素子７が、異方性の変形挙動を起こすと、電圧印加時の液晶分子の動作状態が変形前と異なるようになるので、設計時において想定している所望の収差補正を実現することができなくなる。
【００６０】
これに対して前述の本発明のように、収差補正用液晶素子７１が等方性の変形挙動を起こす場合、変形前後における電圧印加時の液晶分子の動作状態にほとんど差異が無いので、所望の収差補正を実現することができる。
【００６１】
図７は、本発明の実施の第６形態である光ピックアップ装置に備わる収差補正用液晶素子８１と支持部材８２との接着部分を示す図である。図７（ａ）には、ｚ方向の上方から見た平面図を示し、図７（ｂ）には、側面図を示す。
【００６２】
本実施の形態の支持部材８２は、外形が直方体形状に形成される。支持部材８２には、厚み方向に貫通するレンズ装着孔８３が形成され、レンズ装着孔８３の光記録媒体寄りには、集光レンズ８４が装着される。また支持部材８２には、レンズ装着孔８３の延びる方向に対して直交する方向に延びて嵌合凹所８５が形成される。嵌合凹所８５は、支持部材８２の内部を厚みの薄い直方体形状に刳り貫いて形成される。嵌合凹所８５は、支持部材８２をレンズ装着孔８３に直交する方向に貫通して形成されてもよく、凹所底面８６を有するように形成されてもよい。ただし、凹所底面８６を有するように形成される場合、収差補正用液晶素子８１に接続されるフレキシブル配線シート６５が挿通することができるように、凹所底面８６に貫通孔８７が形成される。
【００６３】
収差補正用液晶素子８１は、支持部材８２に形成される嵌合凹所８５に挿入されて嵌合されることによって支持される。このように、収差補正用液晶素子８１を支持部材８２に装着するに際し、収差補正用液晶素子８１を、支持部材８２の嵌合凹所８５に挿入させて嵌合するだけでよいので、位置決めを容易にすることができる。また、支持部材８２に嵌合された収差補正用液晶素子８１の外方に臨む端面８８の全体に接着剤２８を塗布し、接着固定することができるので、充分な接着強度を得ることができる。
【００６４】
図８は、本発明の実施の第７形態である光ピックアップ装置に備わる収差補正用液晶素子９１と支持部材９２との接着部分を示す図である。図８（ａ）には、断面図を示し、図８（ｂ）には、ｚ方向の下方から見た底面図を示す。
【００６５】
本実施の形態の光ピックアップ装置における収差補正用液晶素子９１は、対向して設けられて液晶セル９３を構成する２枚の第１および第２透明基板９４，９５を備え、第１および第２透明基板９４，９５の周縁付近には、第１および第２透明基板９４，９５を厚み方向に貫通する複数の接着孔（本実施の形態では、一方の側にそれぞれ３個）が形成される。
【００６６】
第１透明基板９４に形成される３個の装着孔を、第１１〜第１３装着孔９６ａ，９６ｂ，９６ｃと呼び、第２透明基板９５に形成される３個の装着孔を、第２１〜第２３装着孔９７ａ，９７ｂ，９７ｃと呼ぶ。なお、液晶セル９３の第１透明基板９４と第２透明基板９５との間には、液晶２９が充填される。
【００６７】
支持部材９２には、第１および第２透明基板９４，９５の第１１〜第１３装着孔９６ａ，９６ｂ，９６ｃおよび第２１〜第２３装着孔９７ａ，９７ｂ，９７ｃに対応する位置にここでは３個の第１〜第３支持部材凹所（第１および第３支持部材凹所は不図示であり、第２支持部材凹所９９ｂのみ図示）が形成される。３個の第１〜第３支持部材凹所９９ｂと、第１１〜第１３装着孔９６ａ，９６ｂ，９６ｃおよび第２１〜第２３装着孔９７ａ，９７ｂ，９７ｃとを、それぞれ位置合わせした後、該凹所と該装着孔とに接着剤２８を流入塗布する。このようにして、第１および第２透明基板９４，９５の第１１〜第１３装着孔９６ａ，９６ｂ，９６ｃおよび第２１〜第２３装着孔９７ａ，９７ｂ，９７ｃに臨む部分と、支持部材９２の第１〜第３支持部材凹所９９ｂに臨む部分とが、接着剤によって接着され、収差補正用液晶素子９１が支持部材９２に接着固定される。
【００６８】
このことによって、支持部材９２に接着だまりを形成する設計余裕が無い場合においても、収差補正用液晶素子９１を支持部材９２に設置することが可能になるので、光ピックアップ装置の小型化を実現することができる。
【００６９】
図９は、本発明の実施の第８形態である光ピックアップ装置に備わる収差補正用液晶素子２１と支持部材２７との接着部分を示す底面図である。本実施の形態の光ピックアップ装置は、実施の第１形態の光ピックアップ装置に類似し、対応する部分については同一の参照符号を付して説明を省略する。
【００７０】
本実施の形態の光ピックアップ装置において注目すべきは、収差補正用液晶素子２１に、収差補正用液晶素子２１に電力を供給する複数のフレキシブル配線シート１０１（本実施の形態では第１〜第４の４つ）が接続され、４つの第１〜第４フレキシブル配線シート１０１ａ，１０１ｂ，１０１ｃ，１０１ｄは、波形の形状を有し、収差補正用液晶素子２１に関して線対称に配置されることである。
【００７１】
第１〜第４フレキシブル配線シート１０１ａ，１０１ｂ，１０１ｃ，１０１ｄが、波形、いわゆるコルゲートされた状態のものが設けられるので、第１〜第４フレキシブル配線シート１０１ａ，１０１ｂ，１０１ｃ，１０１ｄを介して収差補正用液晶素子２１に応力が負荷されるとき、第１〜第４フレキシブル配線シート１０１ａ，１０１ｂ，１０１ｃ，１０１ｄのコルゲート部分が伸縮することによって、負荷される応力を緩和することができる。また第１〜第４フレキシブル配線シート１０１ａ，１０１ｂ，１０１ｃ，１０１ｄが、収差補正用液晶素子２１の軸線１０２に直交する仮想線１０３に関して線対称、すなわち第１および第２フレキシブル配線シート１０１ａ，１０１ｂと、第４および第３フレキシブル配線シート１０１ｄ，１０１ｃとが、仮想線１０３に関して対称になるように設けられるので、収差補正用液晶素子２１を支持する支持部材２７に負荷される力のバランスが保たれる。このことによって、収差補正用液晶素子２１が接着支持される支持部材２７に設けられるサーボ機構にかかる負担を軽減することができるので、サーボ機構の動作を安定させることが可能となる。
【００７２】
前述の実施の第１〜第８形態の各光ピックアップ装置は、ＣＤ、ＤＶＤなどの光記録媒体を使用する情報記録再生装置のような電子機器に搭載することができる。本発明の各形態の光ピックアップ装置を搭載する電子機器は、支持部材に対する収差補正用液晶素子の接着強度に優れ、収差補正用液晶素子の接着固定位置が、温度変化および経年変化によってずれを生じにくいので、情報信号品質に優れ、長寿命化が実現される。
【図面の簡単な説明】
【００７３】
【図１】本発明の実施の一形態である光ピックアップ装置に備わる収差補正用液晶素子２１と支持部材２７との接着部分を示す断面図である。
【図２】本発明の実施の第２形態である光ピックアップ装置に備わる収差補正用液晶素子４１と支持部材４２との接着部分を示す断面図である。
【図３】本発明の実施の第３形態である光ピックアップ装置に備わる収差補正用液晶素子５１と支持部材５２との接着部分を示す断面図である。
【図４】本発明の実施の第４形態である光ピックアップ装置に備わる収差補正用液晶素子６１と支持部材６２との接着部分を示す断面図である。
【図５】本発明の実施の第５形態である光ピックアップ装置に備わる収差補正用液晶素子７１と支持部材７２との接着部分を示す底面図である。
【図６】本発明範囲外の収差補正用液晶素子７と支持部材９との接着状態を示す底面図である。
【図７】本発明の実施の第６形態である光ピックアップ装置に備わる収差補正用液晶素子８１と支持部材８２との接着部分を示す図である。
【図８】本発明の実施の第７形態である光ピックアップ装置に備わる収差補正用液晶素子９１と支持部材９２との接着部分を示す図である。
【図９】本発明の実施の第８形態である光ピックアップ装置に備わる収差補正用液晶素子２１と支持部材２７との接着部分を示す底面図である。
【図１０】収差補正用液晶素子を備える従来の光ピックアップ装置１の構成を簡略化して示す配置側面図である。
【図１１】図１０に示す光ピックアップ装置１における支持部材９に対する収差補正用液晶素子７の装着部を拡大して示す図である。
【符号の説明】
【００７４】
２１，４１，５１，６１，７１，８１，９１  収差補正用液晶素子
２２，４７，５３，６３，９３  液晶セル
２３，５４，６４，９４  第１透明基板
２４，４４，５５，７３，９５  第２透明基板
２５  第１基板凹所
２６  第２基板凹所
２７，４２，５２，６２，７２，８２，９２  支持部材
２８，７７  接着剤
２９  液晶
４３，９９  支持部材凹所
４６  しきり部
６５，１０１  フレキシブル配線シート
７４  基板凹所
８３  レンズ装着孔
８４  集光レンズ
８５  嵌合凹所
９６，９７  装着孔
【図１】
2005166084.tif 000003
【図２】
2005166084.tif 000004
【図３】
2005166084.tif 000005
【図４】
2005166084.tif 000006
【図５】
2005166084.tif 000007
【図６】
2005166084.tif 000008
【図７】
2005166084.tif 000009
【図８】
2005166084.tif 000010
【図９】
2005166084.tif 000011
【図１０】
2005166084.tif 000012
【図１１】
2005166084.tif 000013